(57)【要約】【課題】Ｘ階段を取り入れてレンタブル比の上昇を図りつつ階高の抑制をも達成し、Ｘ階段の使用時に余分な昇降を必要ともしない階段構造を提供すること。【解決手段】一対の折り返し階段１Ａ，１Ｂを重ねてＸ階段２を構成した階段構造であって、各折り返し階段１Ａ、１Ｂは、階段の折り返し部を構成する踊り場として、階段外部に通じない中間踊り場３と、該中間踊り場３の上下に設けられ、階段外部に通じる出入用踊り場４とを有し、各折り返し階段１Ａ、１Ｂの踏板６を両側から支持する一対の側桁８，９のうち外周側に位置する側桁８において、前記中間踊り場３を構成する部位を逆梁とした。【選択図】図３
2015206177.tif 000002
【特許請求の範囲】
【請求項１】
一対の折り返し階段を重ねてＸ階段を構成した階段構造であって、
各折り返し階段は、階段の折り返し部を構成する踊り場として、階段外部に通じない中間踊り場と、該中間踊り場の上下に設けられ、階段外部に通じる出入用踊り場とを有し、
各折り返し階段の踏板を両側から支持する一対の側桁のうち外周側に位置する側桁において、前記中間踊り場を構成する部位を逆梁としたことを特徴とする階段構造。
【請求項２】
前記一対の側桁のうち、内周側に位置する側桁における前記中間踊り場又は前記出入用踊り場を構成する部位が、外周側に位置する側桁における前記中間踊り場又は前記出入用踊り場を構成する部位と比べ、小さい上下幅を有するようにしてある請求項１に記載の階段構造。
【請求項３】
前記一対の側桁によって支持される複数の蹴込板のうち、最上段及び最下段に位置する蹴込板を、前記一対の折り返し階段の外周に配された柱又は梁に接合し、
前記中間踊り場又は前記出入用踊り場を挟んで上下に連なった階段部において、下方の階段部の最上段に設けられた前記蹴込板と、上方の階段部の最下段に設けられた前記蹴込板とを相互に接合してある請求項１又は２に記載の階段構造。
【発明の詳細な説明】
【技術分野】
【０００１】
本発明は、例えば、一対の折り返し階段を重ねてＸ階段を構成した階段構造に関する。
【背景技術】
【０００２】
従来、建物の階段室内に二つの折り返し階段を重ねたＸ階段が配置されることがある。階段室内にＸ階段を設けるメリットは、一つの階段室を設けるだけで各フロアから避難階に至る二つの直通階段を一挙に確保することができ、階段室内のスペースの有効利用がレンタブル比の上昇に直結する、といった点にある。その反面、建物内にＸ階段を設ける場合には、一般に、Ｘ階段における出入用踊り場と各フロアの高さ位置を一致させるために、階高は概ね４６００ｍｍ程度必要になると考えられており、このように比較的大きい階高は、建物が高層になるほど全体高さの著しい増大を招来することになる。
【０００３】
そこで、図１２（Ａ）に示すように、各フロア５１の階高をＸ階段５２の高さ寸法に合わせることなく低めに設計し、Ｘ階段５２における出入用踊り場５３とフロア５１との間に段差（高低差）がある箇所には、フロア５１から出入用踊り場５３へのアクセスを可能とするための階段（Ｘ階段５２とは別の階段）５４ａを含む段差調整部５４（図１２（Ａ）及び（Ｂ）参照）を設けることが考えられる（特許文献１参照）。
【先行技術文献】
【特許文献】
【０００４】
【特許文献１】特開２０１１−８４９５５号公報
【発明の概要】
【発明が解決しようとする課題】
【０００５】
しかし、上記のように段差調整部５４を設ける場合、その分だけレンタブル比が低減し、Ｘ階段の使用時には余分な階段５４ａの昇降も必要になる。
【０００６】
本発明は上述の事柄に留意してなされたもので、その目的は、Ｘ階段を取り入れてレンタブル比の上昇を図りつつ階高の抑制をも達成し、Ｘ階段の使用時に余分な昇降を必要ともしない階段構造を提供することにある。
【課題を解決するための手段】
【０００７】
上記目的を達成するために、本発明に係る階段構造は、一対の折り返し階段を重ねてＸ階段を構成した階段構造であって、各折り返し階段は、階段の折り返し部を構成する踊り場として、階段外部に通じない中間踊り場と、該中間踊り場の上下に設けられ、階段外部に通じる出入用踊り場とを有し、各折り返し階段の踏板を両側から支持する一対の側桁のうち外周側に位置する側桁において、前記中間踊り場を構成する部位を逆梁とした（請求項１）。
【０００８】
上記階段構造において、前記一対の側桁のうち、内周側に位置する側桁における前記中間踊り場又は前記出入用踊り場を構成する部位が、外周側に位置する側桁における前記中間踊り場又は前記出入用踊り場を構成する部位と比べ、小さい上下幅を有するようにしてあってもよい（請求項２）。
【０００９】
上記階段構造において、前記一対の側桁によって支持される複数の蹴込板のうち、最上段及び最下段に位置する蹴込板を、前記一対の折り返し階段の外周に配された柱又は梁に接合し、前記中間踊り場又は前記出入用踊り場を挟んで上下に連なった階段部において、下方の階段部の最上段に設けられた前記蹴込板と、上方の階段部の最下段に設けられた前記蹴込板とを相互に接合してあってもよい（請求項３）。
【発明の効果】
【００１０】
本願発明では、Ｘ階段を取り入れてレンタブル比の上昇を図りつつ階高の抑制をも達成し、Ｘ階段の使用時に余分な昇降を必要ともしない階段構造が得られる。
【００１１】
すなわち、本願の各請求項に係る発明の階段構造では、階段外への出入口が必要な各階フロアでの有効高さを確保したまま、中間階までの階高さを抑えることができる。従って、高さ制限が厳しい条件下であっても外壁ラインの自由度が増すことになり、階高さを抑えることにより、工事費の削減を図ることもできる。また、図１２に示す従来の階段構造とは異なり、本発明の階段構造では、階高さを抑えるために、余分な階段やスペースを設ける必要がないので、Ｘ階段を取り入れてレンタブル比の上昇を大いに図ることができ、Ｘ階段の使用時に余分な昇降を必要ともしない。
【００１２】
請求項３に係る発明の階段構造では、最上段、最下段の蹴込板を、Ｘ階段の外周部の柱又は梁に力を伝達させる階段受梁（折れ梁）として利用することができ、階高さを抑えるための内周側の側桁の上下幅を減少した場合であっても、それに伴う強度低下を、少ない蹴込板で効率良く補うことができる。
【図面の簡単な説明】
【００１３】
【図１】本発明の一実施の形態に係る階段構造の構成を概略的に示す縦断面図である。
【図２】前記階段構造の構成を概略的に示す横断面図である。
【図３】図２のＸ１線切断端面図である。
【図４】図２のＸ２線切断図である。
【図５】図２のＹ１線切断図である。
【図６】前記階段構造の階段部の構成を概略的に示す分解斜視図である。
【図７】図２のａ部の拡大図である。
【図８】図４のｂ部の拡大図である。
【図９】（Ａ）及び（Ｂ）は、従来及び上記実施形態の階段構造の外周側の側桁の構成を概略的に示す説明図である。
【図１０】（Ａ）及び（Ｂ）は、従来及び上記実施形態の階段構造の内周側の側桁の構成を概略的に示す説明図である。
【図１１】従来及び上記実施形態の階段構造の構成を左右に並べて示す説明図である。
【図１２】（Ａ）及び（Ｂ）は、従来の階段構造の構成を概略的に示す縦断面図及び横断面図である。
【発明を実施するための形態】
【００１４】
本発明の実施の形態について図面を参照しながら以下に説明する。
【００１５】
図１及び図２に示す本実施の形態に係る階段構造は、建物の階段室Ｓ内において一対の折り返し階段１Ａ、１Ｂを重ねて構成されたＸ階段（鉄骨階段）２を具備している。各折り返し階段１Ａ、１Ｂは、階段の折り返し部を構成する踊り場として、階段外部に通じない中間踊り場３と、中間踊り場３の上下に設けられ、階段外部（階段室Ｓの外部）に通じる出入用踊り場４とを有する。尚、図２において、５はＸ階段２（階段室）内外への出入口であって、出入用踊り場４に面する位置に設けられている。また、図４において、Ｒは手すりであり、他の図では省略している。
【００１６】
各折り返し階段１Ａ、１Ｂの階段部は、図６に示すように、交互に繰り返し並ぶ踏板６及び蹴込板７と、これら踏板６及び蹴込板７を両側から支持する左右一対の側桁８、９とを有する。そして、本実施形態では、一対の側桁８，９のうち外周側に位置する側桁８（図２参照）において、階段室Ｓへの出入口５が不要な中間踊り場３を構成する部位を逆梁とする（図３、図９参照）。また、一対の側桁８，９のうち内周側に位置する側桁９（図２参照）において、中間踊り場３を構成する部位は順梁としている（図４、図１０参照）。尚、「外周側」とは、各折り返し階段１Ａ、１Ｂを螺旋に見立てた場合にその螺旋の外側となる側であり、「内周側」とは、上記螺旋の内側となる側を指す。
【００１７】
また、一対の側桁８，９のうち、内周側に位置する側桁９における中間踊り場３、出入用踊り場４を構成する部位の上下幅ｔ９は、外周側に位置する側桁８における中間踊り場３、出入用踊り場４を構成する部位の上下幅ｔ８と比べ、小さくなっている（図４参照）。尚、本実施形態では、上下幅ｔ８は３００ｍｍ、上下幅ｔ９は上下幅ｔ８の半分の１５０ｍｍとなっていて、各側桁８，９の上下幅は全体にわたって略均一とされている。
【００１８】
ここで、Ｘ階段を有する従来の階段構造では、図９（Ａ）、図１０（Ａ）、図１１に示すように、階段室への出入口５が必要な各階フロア１０での出入用踊り場４の有効高さｅ１（例えば２０００ｍｍ）を確保するため、中間階までの階高さｈ１は、出入用踊り場４の有効高さｅ１に踊り場の厚さｔ１（例えば３００ｍｍ）を加えた高さ（例えば２３００ｍｍ）となり、階高さＨ１はその倍（例えば４６００ｍｍ）というように比較的大きくなってしまう。
【００１９】
これに対して、本実施形態では、図９（Ｂ）、図１１に示すように、側桁８において、階段室Ｓへの出入口５が不要な中間踊り場３を構成する部位を逆梁としつつ、図１０（Ｂ）、図１１に示すように、内周側に位置する側桁９における中間踊り場３又は出入用踊り場４を構成する部位が、外周側に位置する側桁８における中間踊り場３又は出入用踊り場４を構成する部位と比べ、小さい上下幅を有するようにしているので、階段室Ｓへの出入口５が必要な各階フロア１０での出入用踊り場４の有効高さｅ２（例えば２０００ｍｍ）を確保したまま、中間階までの階高さｈ２を、有効高さｅ２に小さい上下幅ｔ９（例えば１５０ｍｍ）を加えた高さ（例えば２１５０ｍｍ）に抑えることができ、それだけ階高さＨ２も低く（例えば４３００ｍｍ）抑えることができる。
【００２０】
従って、本実施形態では、高さ制限が厳しい条件下であっても外壁ラインの自由度が増すことになり、階高さを抑えることにより、工事費の削減を図ることもできる。また、図１２に示す従来の階段構造とは異なり、本実施形態の階段構造では、階高さを抑えるために、余分な階段やスペースを設ける必要がないので、Ｘ階段２を取り入れてレンタブル比の上昇を大いに図ることができ、Ｘ階段２の使用時に余分な昇降を必要ともしない。
【００２１】
また、本実施形態では、図２に示すように、一対の側桁８，９によって支持される複数の蹴込板７のうち、最上段及び最下段に位置する蹴込板７Ａ、７Ｂを、一対の折り返し階段１Ａ，１Ｂの外周に配された柱又は梁（本例では鉄骨柱である間柱１１）に接合すると共に、図５に示すように、中間踊り場３又は出入用踊り場４を挟んで上下に連なった階段部において、下方の階段部の最上段に設けられた蹴込板７Ａと、上方の階段部の最下段に設けられた蹴込板７Ｂとを相互に適宜の手段（例えば溶接）によって接合してある。具体的には、蹴込板７Ａ，７Ｂを、例えば厚さ２５ｍｍのフラットバー（平鋼）で構成し、このフラットバーを間柱１１に接合することが考えられる。
【００２２】
このような構成により、最上段、最下段の蹴込板７Ａ、７Ｂを、Ｘ階段２の外周部の柱又は梁に力を伝達させる階段受梁（折れ梁）として利用することができ、階高さを抑えるための内周側の側桁９の上下幅減少に伴う強度低下を、少ない蹴込板７Ａ、７Ｂで効率良く補うことができる。
【００２３】
そして、この効果は、図２に示すように、内周側の側桁９の両端を、一対の折り返し階段１Ａ，１Ｂの外周に配された柱又は梁（本例では間柱１２）に接合することにより、一層の増強を図ることができる。尚、この接合は、例えば図７、図８に示すように、間柱１２に溶接等により接合される金属製の一対の板状部材１３に、側桁９を各々取付部材（例えばボルト等）１４によって取り付けることで行える。
【００２４】
なお、図１１の右側中央に示すように、中間階では踏板６及び蹴込板７を支持する一対の側桁８，９間に高低差があり、このように一対の側桁８，９に高低差がある箇所では、例えば、踏板６または蹴込板７の長手方向の端部に、上下方向に延びる延長部分を設けてこの延長部分を側桁８，９に接合し、踏板６及び蹴込板７を水平に保てるようにすればよい。
【００２５】
本発明は、上記の実施の形態に何ら限定されず、本発明の要旨を逸脱しない範囲において種々に変形して実施し得ることは勿論である。
【符号の説明】
【００２６】
１Ａ  折り返し階段
１Ｂ  折り返し階段
２    Ｘ階段
３    中間踊り場
４    出入用踊り場
５    出入口
６    踏板
７    蹴込板
７Ａ  最上段の蹴込板
７Ｂ  最下段の蹴込板
８    外周側の側桁
９    内周側の側桁
１０    フロア
１１    間柱
１２    間柱
１３    板状部材
１４    取付部材
５１    フロア
５２    Ｘ階段
５３    出入用踊り場
５４    段差調整部
５４ａ  階段
ｅ１  有効高さ
ｅ２  有効高さ
Ｈ１  階高さ
Ｈ２  階高さ
Ｒ    手すり
Ｓ    階段室
ｔ１  踊り場の厚さ
ｔ８  上下幅
ｔ９  上下幅
【図１】
2015206177.tif 000003
【図２】
2015206177.tif 000004
【図３】
2015206177.tif 000005
【図４】
2015206177.tif 000006
【図５】
2015206177.tif 000007
【図６】
2015206177.tif 000008
【図７】
2015206177.tif 000009
【図８】
2015206177.tif 000010
【図９】
2015206177.tif 000011
【図１０】
2015206177.tif 000012
【図１１】
2015206177.tif 000013
【図１２】
2015206177.tif 000014